(57)【要約】【課題】  巻尺の滑り止め効果と保護効果を強化することで、巻尺での測量時の利便性を高め、その使用寿命を大幅に延長した巻尺の提供。【解決手段】    ゴムまたは軟質プラスチック製品の各種特性を利用し、各種加工方法で、ゴムまたは軟質プラスチックを巻尺先端部の鉤部上に粘着させることにより、滑り止めや保護、緩衝等の効果を得ると共に、その使用寿命が延長される。【選択図】    図１  
0003104920.tif 000002
【実用新案登録請求の範囲】
【請求項１】
殻体と、該殻体内に巻き取った巻尺テープを含み、該巻尺テープ上に先端部がリベット留めで固定され、該先端部の鉤部に、該鉤部上を包覆する加工方法で滑り止め、保護、緩衝等機能を備えたゴムまたは軟質プラスチックカバーを粘着したことを特徴とする巻尺。
【請求項２】
該ゴムまたは軟質プラスチックカバーが、底面部がない形式と底面部がある形式の2種類があり、そのどちらも上述の滑り止め、保護、緩衝等機能を備えた請求項1に記載の巻尺。
【請求項３】
該ゴムまたは軟質プラスチックカバーにはゴムまたは軟質プラスチック膜を取り付け、該ゴムまたは軟質プラスチック膜を、押出しまたは射出しの方法で該鉤部上に直接包覆加工した請求項1に記載の巻尺。    
【請求項４】
該ゴムまたは軟質プラスチックカバーにはゴムまたは軟質プラスチック膜を取り付け、該ゴムまたは軟質プラスチック膜を、押出しまたは射出しの方法で該鉤部上に直接パッチを形成して加工した請求項1に記載の巻尺。
【請求項５】
該ゴムまたは軟質プラスチックカバーにはゴムまたは軟質プラスチック膜を取り付け、該ゴムまたは軟質プラスチック膜を、粘着の方法で、鉤部内側面のみの一面粘着と、両面粘着のどちらかの形式で間接的に該鉤部上に加工した請求項1に記載の巻尺。  
【請求項６】
該ゴムまたは軟質プラスチックカバーにはゴムまたは軟質プラスチック膜を取り付け、該ゴムまたは軟質プラスチック膜を、スプレーコーティングの方法で、鉤部内側面のみの一面コーティングと、両面コーティングのどちらかの形式で該鉤部上に直接加工した請求項1に記載の巻尺。
【請求項７】
該ゴムまたは軟質プラスチックカバーにはゴムまたは軟質プラスチック膜を取り付け、該ゴムまたは軟質プラスチック膜を、浸漬コーティングの方法で、先端部の鉤部の部分をゴムまたは軟質プラスチック液に浸漬して加工した請求項1に記載の巻尺。        
【請求項８】
該ゴムまたは軟質プラスチックカバーに、滑り止め効果を備えた滑り止め模様を形成し、該鉤部の摩擦力を強化した請求項1に記載の巻尺。  
【考案の詳細な説明】
【技術分野】
【０００１】
本考案は巻尺の先端部の構造に関し、特に、測量用の巻尺の先端部に、ゴムまたは軟質プラスチックの各種特性を利用して、パッチや包覆、粘着またはコーティング等、各種の加工方法で、ゴムまたは軟質プラスチックを巻尺の鉤部上に粘着させ、滑り止めと保護、緩衝効果を備えた巻尺に関する。
【背景技術】
【０００２】
一般的な巻尺の先端部の構造は、巻尺上に金属材料から成る鉤部をリベットで留めたものであるが、物品を測量するときや物品を引掛けるとき、摩擦力が不足するため鉤部が滑り物品から脱落する現象が生じやすく、測量物の表面が弱い場合には、測量物が巻尺の鉤部の硬度により破損することもあり、また、巻尺を巻戻すとき、その衝撃が強いため、鉤部とテープ間の破損に繋がり易いという問題があり、一人では使用しにくく、二人がかりで測量しなければならないことが多く、利便性が低い。
【考案の開示】
【考案が解決しようとする課題】
【０００３】
本考案は、前述の問題に鑑みて、巻尺の滑り止め効果と保護効果を強化することで、巻尺での測量時の利便性を高め、その使用寿命を大幅に延長した巻尺の提供を目的とする。
【課題を解決するための手段】
【０００４】
本考案は、巻尺の先端部にゴムや軟質プラスチックまたは軟質プラスチックカバーを包覆、粘着、コーティング、パッチ等の各種加工方法で巻尺の鉤部上を覆い、巻尺の先端部に滑り止め、保護、緩衝等の機能を付加し、さらにその使用寿命を延長する。
【考案を実施するための最良の形態】
【０００５】
本考案について、以下図面に基づき、より具体的に説明する。
【実施例１】
【０００６】
図１に示すように、本考案の先端部１上に２つのリベット孔１１を設け、ゴムまたは軟質プラスチックカバー２を鉤部１２上に粘着または被せて設置し、先端部の滑り止め、保護、緩衝等機能を強化し、さらにはその使用寿命を延長する。
【０００７】
上述の構造に基づき、ゴムまたは軟質プラスチックカバー２を、鉤部１２上に粘着または被せる方法で固定し、先端部の滑り止め、保護、緩衝等機能を強化し、さらにはその使用寿命を延長するが、該ゴムまたは軟質プラスチックカバー２は2つの形式があり、図２Aのように底面が開口した形式または図２Bのように底面部を備えた形式のどちらでも、上述の機能を得ることができる。
【実施例２】
【０００８】
図３に示すように、ゴムまたは軟質プラスチック膜２１は、必要に応じ、押出しまたは射出しで直接鉤部１２上を包覆して加工することができる。
【実施例３】
【０００９】
図４に示すように、ゴムまたは軟質プラスチック２２は、必要に応じ、押出しまたは射出しでパッチを形成する方法で直接鉤部１２の固定孔上に加工してもよい。
【実施例４】
【００１０】
図５及び図６に示すように、該ゴムまたは軟質プラスチック膜２１は、必要に応じ、鉤部１２上に粘着することで間接的に加工してもよく、内側のみの一面粘着と両面粘着の２つの形式とすることができる。
【実施例５】
【００１１】
図７に示すように、該ゴムまたは軟質プラスチック膜２１は、必要に応じ、スプレーコーティングの方法で直接鉤部１２に吹きかけてもよく、内側のみの一面コーティングと両面コーティングの２つの形式とすることができる。
【実施例６】
【００１２】
図８に示すように、該ゴムまたは軟質プラスチック膜２１は、必要に応じ、浸漬コーティングの方法で、先端部１の鉤部１２部分をゴムまたは軟質プラスチック液に浸漬してコーティングしてもよい。    
【実施例７】
【００１３】
図９に示すように、該ゴムまたは軟質プラスチックカバー２は、必要に応じ、滑り止め効果を備えた模様を形成してもよく、該滑り止め模様３は、鉤部１２の摩擦力を強化することができる。
【００１４】
以上、本考案の具体的な実施例を説明してきたが、上述の実施例は本考案の実施範囲を制限するものではなく、本考案の特許申請範囲に基づくあらゆる変化や修飾も本考案の実質的内容に含まれるものと見なす。
【図面の簡単な説明】
【００１５】
【図１】本考案の巻尺先端部とゴムまたは軟質プラスチックカバーを示す分解図である。
【図２Ａ】本考案のゴムまたは軟質プラスチックカバーの実施形態を示す立体透視図である。
【図２Ｂ】本考案のゴムまたは軟質プラスチックカバーの図２Aとは別の実施形態を示す部分立体図である。
【図３】本考案のゴムまたは軟質プラスチックの加工実施例２を示す立体斜視図である。
【図４】本考案のゴムまたは軟質プラスチックの加工実施例３を示す立体斜視図である。
【図５】本考案のゴムまたは軟質プラスチックの加工実施例４を示す側面断面図である。
【図６】本考案のゴムまたは軟質プラスチックの加工実施例４の別の実施形態を示す側面断面図である。
【図７】本考案のゴムまたは軟質プラスチックの加工実施例５を示す側面断面図である。
【図８】本考案のゴムまたは軟質プラスチックの加工実施例６を示す側面断面図である。
【図９】本考案のゴムまたは軟質プラスチックの加工実施例７を示す側面断面図である。
【符号の説明】
【００１６】
１      先端部
１１    リベット孔
１２    鉤部
２      ゴムまたは軟質プラスチックカバー
２１    ゴムまたは軟質プラスチック膜
２２    ゴムまたは軟質プラスチック
３      滑り止め模様
【図１】
0003104920.tif 000003
【図２Ａ】
0003104920.tif 000004
【図２Ｂ】
0003104920.tif 000005
【図３】
0003104920.tif 000006
【図４】
0003104920.tif 000007
【図５】
0003104920.tif 000008
【図６】
0003104920.tif 000009
【図７】
0003104920.tif 000010
【図８】
0003104920.tif 000011
【図９】
0003104920.tif 000012